【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
タイミング同期信号（ＴＳＳ）と、プライマリ同期信号（ＰＳＳ）と、セカンダリ同期信号（ＳＳＳ）とを含む同期信号（ＳＳ）ブロックを受信すること、前記ＴＳＳは、前記ＳＳブロックに関連するＳＳブロックインデックスに少なくとも部分的に基づく、と、
ＴＳＳ波形シグネチャにおいて部分的に符号化され、かつ前記ＴＳＳ中の少なくとも１つの変調シンボルにおいて部分的に符号化された前記ＳＳブロックインデックスを復号することと、
前記ＳＳブロックインデックスに少なくとも部分的に基づいて、ブロードキャストチャネル送信時間間隔（ＢＣＨ  ＴＴＩ）内の前記ＳＳブロックのタイミングを決定することと、
前記ＳＳブロック上の同期信号が擬似コロケートされると仮定することによって、前記ＳＳＳに少なくとも部分的に基づいて前記ＴＳＳを復調することと
を備える、方法。
【請求項２】
前記ＳＳブロックインデックスに少なくとも部分的に基づいて、前記ＳＳブロックが受信されるビームを識別することをさらに備える、
請求項１に記載の方法。
【請求項３】
前記ＳＳブロックは、物理ブロードキャストチャネル（ＰＢＣＨ）をさらに含み、前記ＰＢＣＨは、前記ＳＳブロックインデックスに少なくとも部分的に基づいて受信され、前記方法は、
前記ＳＳブロックインデックスに少なくとも部分的に基づいて前記ＰＢＣＨを復号することをさらに備える、
請求項１に記載の方法。
【請求項４】
前記ＳＳブロックは、物理ブロードキャストチャネル（ＰＢＣＨ）をさらに含み、前記方法は、
前記ＳＳＳに少なくとも部分的に基づいて前記ＰＢＣＨを復調することをさらに備える、
請求項１に記載の方法。
【請求項５】
ユーザ機器（ＵＥ）におけるワイヤレス通信のための装置であって、
プロセッサと、
前記プロセッサと電子通信しているメモリと、
前記メモリに記憶された命令と、
を備え、前記命令は、
タイミング同期信号（ＴＳＳ）と、プライマリ同期信号（ＰＳＳ）と、セカンダリ同期信号（ＳＳＳ）とを含む同期信号（ＳＳ）ブロックを受信すること、前記ＴＳＳは、前記ＳＳブロックに関連するＳＳブロックインデックスに少なくとも部分的に基づく、と、
ＴＳＳ波形シグネチャにおいて部分的に符号化され、かつ前記ＴＳＳ中の少なくとも１つの変調シンボルにおいて部分的に符号化された前記ＳＳブロックインデックスを復号することと、
前記ＳＳブロックインデックスに少なくとも部分的に基づいて、ブロードキャストチャネル送信時間間隔（ＢＣＨ  ＴＴＩ）内の前記ＳＳブロックのタイミングを決定することと、
前記ＳＳブロック上の同期信号が擬似コロケートされると仮定することによって、前記ＳＳＳに少なくとも部分的に基づいて前記ＴＳＳを復調することと
を行うように前記プロセッサによって実行可能である、装置。
【請求項６】
前記命令は、
前記ＴＳＳの波形シグネチャにおいて、または前記ＴＳＳ中の少なくとも１つの変調シンボルにおいて符号化された前記ＳＳブロックインデックスを受信するように前記プロセッサによって実行可能である、
請求項５に記載の装置。
【請求項７】
前記命令は、
前記ＳＳブロックインデックスに少なくとも部分的に基づいて、前記ＳＳブロックが受信されるビームを識別するように前記プロセッサによって実行可能である、
請求項５に記載の装置。
【請求項８】
前記ＳＳブロックは、物理ブロードキャストチャネル（ＰＢＣＨ）をさらに含み、前記ＰＢＣＨは、前記ＳＳブロックインデックスに少なくとも部分的に基づいて受信され、前記命令は、
前記ＳＳブロックインデックスに少なくとも部分的に基づいて前記ＰＢＣＨを復号するように前記プロセッサによって実行可能である、
請求項５に記載の装置。
【請求項９】
前記ＳＳブロックは、物理ブロードキャストチャネル（ＰＢＣＨ）をさらに含み、前記命令は、
前記ＳＳＳに少なくとも部分的に基づいて前記ＰＢＣＨを復調するように前記プロセッサによって実行可能である、
請求項５に記載の装置。
【請求項１０】
ユーザ機器（ＵＥ）におけるワイヤレス通信のための方法であって、
タイミング同期信号（ＴＳＳ）と物理ブロードキャストチャネル（ＰＢＣＨ）とを受信すること、前記ＴＳＳは、ブロードキャストチャネル送信時間間隔（ＢＣＨ  ＴＴＩ）内の前記ＴＳＳのタイミングに少なくとも部分的に基づく、と、
ＴＳＳ波形シグネチャにおいて部分的に符号化され、かつ前記ＴＳＳ中の少なくとも１つの変調シンボルにおいて部分的に符号化された同期信号（ＳＳ）ブロックインデックスを復号することと、
前記ＢＣＨ  ＴＴＩ内の前記ＴＳＳの前記タイミングを決定することと、
ＳＳブロック上の同期信号が擬似コロケートされると仮定することによって、前記ＴＳＳに少なくとも部分的に基づいて前記ＰＢＣＨを復調することと
を備える、方法。
【請求項１１】
前記ＴＳＳと前記ＰＢＣＨとを含む同期信号（ＳＳ）ブロックを受信すること、ここにおいて、前記ＴＳＳは、前記ＳＳブロックに関連するＳＳブロックインデックスに少なくとも部分的に基づき、前記ＳＳブロックインデックスは、前記ＢＣＨ  ＴＴＩ内の前記ＴＳＳの前記タイミングを示す、と、
前記ＳＳブロックインデックスに少なくとも部分的に基づいて、前記ＢＣＨ  ＴＴＩを用いて前記ＳＳブロックの前記タイミングを決定することと
をさらに備える、請求項１０に記載の方法。
【請求項１２】
前記ＴＳＳと前記ＰＢＣＨとを受信することは、
前記ＰＢＣＨが受信される１つまたは複数の周波数サブキャリアの第２のセットと重複する１つまたは複数の周波数サブキャリアの第１のセット上で前記ＴＳＳを受信することを備え、
前記１つまたは複数の周波数サブキャリアの第１のセットは、前記１つまたは複数の周波数サブキャリアの第２のセットとは異なる、
請求項１１に記載の方法。
【請求項１３】
前記ＴＳＳと前記ＰＢＣＨとを受信することは、
前記ＰＢＣＨの少なくとも一部分と周波数分割多重化された前記ＴＳＳを受信することを備える、
請求項１２に記載の方法。
【請求項１４】
前記ＳＳブロックは、プライマリ同期信号（ＰＳＳ）とセカンダリ同期信号（ＳＳＳ）とをさらに含み、前記ＳＳＳと前記ＰＢＣＨとを受信することは、前記ＳＳＳの後に前記ＰＢＣＨの第２の部分を受信することを備える、
請求項１３に記載の方法。
【請求項１５】
前記ＴＳＳと前記ＰＢＣＨとを受信することは、
前記ＰＢＣＨが受信される１つまたは複数の周波数サブキャリアの第２のセットとインターリーブされた１つまたは複数の周波数サブキャリアの第１のセット上で前記ＴＳＳを受信することを備える、
請求項１１に記載の方法。
【請求項１６】
前記ＳＳブロックは、プライマリ同期信号（ＰＳＳ）とセカンダリ同期信号（ＳＳＳ）とをさらに含み、前記ＴＳＳと、前記ＰＳＳと、前記ＳＳＳと、前記ＰＢＣＨとを受信することは、
前記インターリーブされたＴＳＳおよびＰＢＣＨと周波数分割多重化された前記ＰＳＳおよび前記ＳＳＳを受信することを備える、
請求項１５に記載の方法。
【請求項１７】
前記ＴＳＳの波形シグネチャにおいて、または前記ＴＳＳ中の少なくとも１つの変調シンボルにおいて符号化された前記ＳＳブロックインデックスを受信することをさらに備える、
請求項１１に記載の方法。
【請求項１８】
前記ＳＳブロックインデックスに少なくとも部分的に基づいて、前記ＳＳブロックが送信されるビームを識別することをさらに備える、
請求項１１に記載の方法。
【請求項１９】
前記ＰＢＣＨは、前記ＳＳブロックインデックスに少なくとも部分的に基づいて受信され、前記方法は、
前記ＳＳブロックインデックスに少なくとも部分的に基づいて前記ＰＢＣＨを復号することをさらに備える、
請求項１１に記載の方法。
【請求項２０】
前記ＳＳブロックは、プライマリ同期信号（ＰＳＳ）とセカンダリ同期信号（ＳＳＳ）とをさらに含み、前記ＳＳＳは、基地局の物理セル識別情報（ＰＣＩ）に少なくとも部分的に基づく、
請求項１１に記載の方法。
【請求項２１】
前記ＳＳブロックは、プライマリ同期信号（ＰＳＳ）とセカンダリ同期信号（ＳＳＳ）とをさらに含み、前記方法は、
前記ＳＳＳに少なくとも部分的に基づいて前記ＰＢＣＨを復調することをさらに備える、
請求項１１に記載の方法。
【請求項２２】
前記ＴＳＳは、前記ＳＳブロックインデックスを符号化する少なくとも１つの変調シンボルを含み、前記方法は、
前記少なくとも１つの変調シンボルにおいて符号化された前記ＳＳブロックインデックスを復号することをさらに備え、
前記少なくとも１つの変調シンボルが４位相シフトキーイング（ＱＰＳＫ）シンボルを含む、
請求項１１に記載の方法。
【請求項２３】
ユーザ機器（ＵＥ）におけるワイヤレス通信のための装置であって、
プロセッサと、
前記プロセッサと電子通信しているメモリと、
前記メモリに記憶された命令と、
を備え、前記命令は、
タイミング同期信号（ＴＳＳ）と物理ブロードキャストチャネル（ＰＢＣＨ）とを受信すること、前記ＴＳＳは、ブロードキャストチャネル送信時間間隔（ＢＣＨ  ＴＴＩ）内の前記ＴＳＳのタイミングに少なくとも部分的に基づく、と、
ＴＳＳ波形シグネチャにおいて部分的に符号化され、かつ前記ＴＳＳ中の少なくとも１つの変調シンボルにおいて部分的に符号化された同期信号（ＳＳ）ブロックインデックスを復号することと、
前記ＢＣＨ  ＴＴＩ内の前記ＴＳＳの前記タイミングを決定することと、
ＳＳブロック上の同期信号が擬似コロケートされると仮定することによって、前記ＴＳＳに少なくとも部分的に基づいて前記ＰＢＣＨを復調することと
を行うように前記プロセッサによって実行可能である、装置。
【請求項２４】
前記命令は、
前記ＴＳＳと前記ＰＢＣＨとを含む同期信号（ＳＳ）ブロックを受信すること、ここにおいて、前記ＴＳＳは、前記ＳＳブロックに関連するＳＳブロックインデックスに少なくとも部分的に基づき、前記ＳＳブロックインデックスは、前記ＢＣＨ  ＴＴＩ内の前記ＴＳＳの前記タイミングを示す、と、
前記ＳＳブロックインデックスに少なくとも部分的に基づいて、前記ＢＣＨ  ＴＴＩを用いて前記ＳＳブロックの前記タイミングを決定することと
を行うように前記プロセッサによって実行可能である、請求項２３に記載の装置。
【請求項２５】
前記ＳＳブロックを受信するための前記命令は、
前記ＰＢＣＨが受信される１つまたは複数の周波数サブキャリアの第２のセットと重複する１つまたは複数の周波数サブキャリアの第１のセット上で前記ＴＳＳを受信するように前記プロセッサによって実行可能であり、
前記１つまたは複数の周波数サブキャリアの第１のセットは、前記１つまたは複数の周波数サブキャリアの第２のセットとは異なる、
請求項２４に記載の装置。
【請求項２６】
前記ＳＳブロックを受信するための前記命令は、
前記ＰＢＣＨの少なくとも一部分と周波数分割多重化された前記ＴＳＳを受信するように前記プロセッサによって実行可能である、
請求項２５に記載の装置。
【請求項２７】
前記ＳＳブロックは、プライマリ同期信号（ＰＳＳ）とセカンダリ同期信号（ＳＳＳ）とをさらに含み、前記ＳＳＳと前記ＰＢＣＨとを受信するための前記命令は、前記ＳＳＳの後に前記ＰＢＣＨの第２の部分を受信するように前記プロセッサによって実行可能である、
請求項２６に記載の装置。
【請求項２８】
前記ＳＳブロックを受信するための前記命令は、
前記ＰＢＣＨが受信される１つまたは複数の周波数サブキャリアの第２のセットとインターリーブされた１つまたは複数の周波数サブキャリアの第１のセット上で前記ＴＳＳを受信するように前記プロセッサによって実行可能である、
請求項２４に記載の装置。
【請求項２９】
前記ＳＳブロックは、プライマリ同期信号（ＰＳＳ）とセカンダリ同期信号（ＳＳＳ）とをさらに含み、前記ＳＳブロックを受信するための前記命令は、
前記インターリーブされたＴＳＳおよびＰＢＣＨと周波数分割多重化された前記ＰＳＳおよび前記ＳＳＳを受信するように前記プロセッサによって実行可能である、
請求項２８に記載の装置。
【請求項３０】
前記ＳＳブロックを受信するための前記命令は、
前記ＴＳＳの波形シグネチャにおいて、または前記ＴＳＳ中の少なくとも１つの変調シンボルにおいて符号化された前記ＳＳブロックインデックスを受信するように前記プロセッサによって実行可能である、
請求項２４に記載の装置。
【請求項３１】
前記命令は、
前記ＳＳブロックインデックスに少なくとも部分的に基づいて、前記ＳＳブロックが送信されるビームを識別するように前記プロセッサによって実行可能である、
請求項２４に記載の装置。
【請求項３２】
前記ＰＢＣＨは、前記ＳＳブロックインデックスに少なくとも部分的に基づいて受信され、前記命令は、
前記ＳＳブロックインデックスに少なくとも部分的に基づいて前記ＰＢＣＨを復号するように前記プロセッサによって実行可能である、
請求項２４に記載の装置。
【請求項３３】
前記ＳＳブロックは、プライマリ同期信号（ＰＳＳ）とセカンダリ同期信号（ＳＳＳ）とをさらに含み、前記ＳＳＳは、基地局の物理セル識別情報（ＰＣＩ）に少なくとも部分的に基づく、
請求項２４に記載の装置。
【請求項３４】
前記ＳＳブロックは、プライマリ同期信号（ＰＳＳ）とセカンダリ同期信号（ＳＳＳ）とをさらに含み、前記命令は、
前記ＳＳＳに少なくとも部分的に基づいて前記ＰＢＣＨを復調するように前記プロセッサによって実行可能である、
請求項２４に記載の装置。
【請求項３５】
前記ＴＳＳは、前記ＳＳブロックインデックスを符号化する少なくとも１つの変調シンボルを含み、前記命令は、
前記少なくとも１つの変調シンボルにおいて符号化された前記ＳＳブロックインデックスを復号するように前記プロセッサによって実行可能であり、前記少なくとも１つの変調シンボルは、４位相シフトキーイング（ＱＰＳＫ）シンボルを含む、
請求項２４に記載の装置。
【請求項３６】
第２のＴＳＳと、前記ＰＳＳと、前記ＳＳＳとを含む第２のＳＳブロックを受信すること、前記第２のＴＳＳは、前記第２のＳＳブロックに関連する第２のＳＳブロックインデックスに少なくとも部分的に基づく、
前記第１のＳＳブロックインデックスおよび前記第２のＳＳブロックインデックスに少なくとも部分的に基づいて、前記ＢＣＨ  ＴＴＩ内の前記第１のＳＳブロックおよび前記第２のＳＳブロックの各々のタイミングを決定することと、
前記ＳＳＳに少なくとも部分的に基づいて前記第１のＴＳＳおよび前記第２のＴＳＳを復調することと
をさらに備える、請求項１に記載の方法。